(57)【要約】【課題】低コストで製造でき、かつ操作性のよい操作機能を有する表示装置を備えたデジタルカメラ提供する。【解決手段】表示装置１８は、ＬＣＤ１９と、ＬＣＤ１９を弾性支持する弾性支持体２０と、弾性支持体２０が取り付けられる受け板２１とからなる。弾性支持体２０は、ＬＣＤ１９の側面１９ａを突起２２により弾性支持し、ＬＣＤ１９の側部の背面側をパッド２３により弾性支持する。受け板２１には、ＬＣＤ１９の背面側のほぼ中心位置に当接するように、ＬＣＤ１９を傾動自在に支持するボス２７を配設し、ボス２７の周囲に、ＬＣＤ１９が傾動した際にその背面により押圧されるように第１スイッチ部材２８を配設する。また、受け板２１の側壁２９の内面２９ａに、ＬＣＤ１９の側面１９ａに対向するように第２スイッチ部材３０を配設する。第２スイッチ部材３０は、ＬＣＤ１９が側面方向にスライド移動した際に、弾性支持体２０により押圧される。【選択図】図４
2009265312.tif 000002
【特許請求の範囲】
【請求項１】
外装体と、
前記外装体から表示面が露呈された表示パネルと、
前記表示パネルを弾性支持する弾性支持体と、
前記弾性支持体が取り付けられた受け板と、
前記受け板に配設され、前記表示パネルが前記弾性支持体の弾性力に抗して変位した際に、前記表示パネルまたは前記弾性支持体により押圧されるスイッチ部材と、
前記スイッチ部材のオン／オフ状態に応じて各部を制御する制御手段と、
を備えたことを特徴とするデジタルカメラ。
【請求項２】
前記弾性支持体が前記表示パネルの側部の背面側を弾性支持するとともに、前記受け板には、前記表示パネルの背面側のほぼ中心位置に当接し、前記表示パネルを傾動自在に支持する傾動支持部材が設けられており、
前記スイッチ部材は、前記表示パネルの背面に対向するように配設された第１スイッチ部材を含み、
前記第１スイッチ部材は、前記表示パネルが傾動した際に、前記表示パネルの背面により押圧されることを特徴とする請求項１に記載のデジタルカメラ。
【請求項３】
前記弾性支持体は、前記表示パネルの側面を弾性支持し、
前記スイッチ部材は、前記弾性支持体を介して前記側面に対向するように配設された第２スイッチ部材を含み、
前記第２スイッチ部材は、前記表示パネルが側面方向に移動した際に、前記弾性支持体により押圧されることを特徴とする請求項１または２に記載のデジタルカメラ。
【請求項４】
前記スイッチ部材がタクトスイッチ（登録商標）であることを特徴とする請求項１から３いずれか１項に記載のデジタルカメラ。
【請求項５】
前記外装体は、押出し加工により形成されたものであることを特徴とする請求項１から４いずれか１項に記載のデジタルカメラ。
【発明の詳細な説明】
【技術分野】
【０００１】
本発明は、操作機能を有する表示装置を備えたデジタルカメラに関する。
【背景技術】
【０００２】
ＣＣＤイメージセンサなどの固体撮像素子を用いて撮像した画像をデジタルの画像データに変換し、この画像データを記録媒体に記録するデジタルカメラが普及している。このようなデジタルカメラは、多数の機能を備え、ユーザが好みに応じて多くの項目を設定できるように構成されている。ユーザによる設定を可能とするためには、ボタンなどの操作部材を多数設ける必要があるが、これらの操作部材を配置できる面は、カメラ本体の上面や背面に限られている。
【０００３】
しかし、カメラ本体の背面には、撮影画像やメニュー画面等を表示するため表示装置が設けられるため、該背面に操作部材を設けると、その分だけ表示装置を小型化する必要がある。かかる問題を解決するために、表示装置の画面上にタッチパネルを設け、タッチパネル上を指で触ることにより各種設定操作を行うことを可能としたデジタルカメラが知られている（例えば、特許文献１参照）。
【特許文献１】特開平９−１１６７９２号公報
【発明の開示】
【発明が解決しようとする課題】
【０００４】
特許文献１に記載のようにタッチパネルを有する表示装置を備えたデジタルカメラは、操作部材を削減することができるため、表示部の画面をカメラ本体の背面全体に設けることが可能となる。しかしながら、タッチパネルを設けることは、製造コストが嵩むため、簡易型のデジタルカメラには不向きである。
【０００５】
また、タッチパネルは、その構造上、操作時にクリック感が得られないため、ユーザは、操作が受け付けられたか否かを認識しづらいといった問題がある。タッチパネルへのユーザの押圧操作に応じて音（いわゆるクリック音）を出力させるものも知られているが、音を出力することは使用環境によっては好ましくない場合もある。
【０００６】
本発明はこのような問題に対してなされたものであり、低コストで製造でき、かつ操作性のよい操作機能を有する表示装置を備えたデジタルカメラを提供することを目的とする。
【課題を解決するための手段】
【０００７】
上記目的を達成するために、本発明のデジタルカメラは、外装体と、前記外装体から表示面が露呈された表示パネルと、前記表示パネルを弾性支持する弾性支持体と、前記弾性支持体が取り付けられた受け板と、前記受け板に配設され、前記表示パネルが前記弾性支持体の弾性力に抗して変位した際に、前記表示パネルまたは前記弾性支持体により押圧されるスイッチ部材と、前記スイッチ部材のオン／オフ状態に応じて各部を制御する制御手段と、を備えたことを特徴とする。
【０００８】
なお、前記弾性支持体が前記表示パネルの側部の背面側を弾性支持するとともに、前記受け板には、前記表示パネルの背面側のほぼ中心位置に当接し、前記表示パネルを傾動自在に支持する傾動支持部材が設けられており、前記スイッチ部材は、前記表示パネルの背面に対向するように配設された第１スイッチ部材を含み、前記第１スイッチ部材は、前記表示パネルが傾動した際に、前記表示パネルの背面により押圧されることが好ましい。
【０００９】
また、前記弾性支持体は、前記表示パネルの側面を弾性支持し、前記スイッチ部材は、前記弾性支持体を介して前記側面に対向するように配設された第２スイッチ部材を含み、前記第２スイッチ部材は、前記表示パネルが側面方向に移動した際に、前記弾性支持体により押圧されることが好ましい。
【００１０】
また、前記スイッチ部材がタクトスイッチ（登録商標）であることが好ましい。これにより、操作の際にクリック感が得られる。
【００１１】
また、前記外装体は、押出し加工により形成されたものであることが好ましい。
【発明の効果】
【００１２】
本発明のデジタルカメラは、表示パネルと、この表示パネルを弾性支持する弾性支持体と、弾性支持体が取り付けられた受け板と、この受け板に配設され、表示パネルが弾性支持体の弾性力に抗して変位した際に、表示パネルまたは弾性支持体により押圧されるスイッチ部材とから構成される表示装置を備えるので、低コストで製造できるとともに、操作性のよい操作機能を提供することができる。また、スイッチ部材をタクトスイッチ（登録商標）とすることにより、操作の際にクリック感を与えることができる。
【００１３】
また、本発明のデジタルカメラは、上記のように操作機能を有する表示装置を備えるため、操作部材を削減することができる。これにより、操作部材を露呈させるための開口を外装体に形成する必要がなくなるため、外装体の製造コストを低減することができる。
【発明を実施するための最良の形態】
【００１４】
図１において、デジタルカメラ１０は、アルミニウムの押出し加工により形成された中空の外装体１１を備える。外装体１１の押出し方向は、図中上下方向であり、上部の押出し開口には天板１２が取り付けられており、下部の押出し開口には底板（図示せず）が取り付けられている。外装体１１の前面には、開口１１ａ，１１ｂが設けられており、開口１１ａからは撮影レンズ１３が露呈し、開口１１ｂからはストロボ発光部１４が露呈している。天板１２には、電源ボタン１５、モード切替ダイヤル１６、及びレリーズボタン１７が設けられている。
【００１５】
図２において、外装体１１の背面には、ほぼ背面全体に開口１１ｃが形成されており、外装体１１内には、開口１１ｃから液晶パネル（ＬＣＤ）１９の表示面１９ａが露呈するように画像表示装置１８が取り付けられている。詳しくは後述するが、画像表示装置１８は、操作機能を備える。ＬＣＤ１９は、上下左右方向へのスライド移動と、中心部を支点とした奥行き方向（前後方向）への傾動が可能となっており、ユーザがＬＣＤ１９をスライド移動させるか、またはＬＣＤ１９上を押圧して傾動させることにより、後述する第１スイッチ部材２８（図３参照）または第２スイッチ部材３０（図３参照）が押圧される。
【００１６】
ＬＣＤ１９は、表示面１９ａに、スルー画像や撮影画像の他、各種メニュー画面を表示する。ＬＣＤ１９を操作することにより、メニュー画面内でのメニュー項目の選択や、選択項目の決定、選択項目のキャンセルなどがなされる。
【００１７】
電源ボタン１５は、デジタルカメラ１０の電源のオン／オフを切り替える際に操作される。モード切替ダイヤル１６は、静止画撮影を行う静止画撮影モード、動画撮影を行う動画撮影モード、撮影した画像をＬＣＤ１９に表示する再生モード、各種設定を行う設定モードを選択的に切り替える際に操作される。レリーズボタン１７は、静止画撮影モードまたは動画撮影モードにて撮影を実行する際に操作される。
【００１８】
なお、図示は省略するが、前述の底板には、画像を記録するためのメモリカード５２（図５参照）を着脱自在に装着するためのスロット等が設けられている。
【００１９】
図３及び図４において、画像表示装置１８は、前述した矩形平板状のＬＣＤ１９と、ＬＣＤ１９を弾性支持する弾性支持体２０と、弾性支持体２０が取り付けられるとともに、スイッチ等が配された受け板２１とから構成されている。
【００２０】
弾性支持体２０は、樹脂製の弾性部材により形成され、ＬＣＤ１９の周囲を囲う枠状となっている。弾性支持体２０には、ＬＣＤ１９の各側面１９ｂに当接する複数の突起２２が形成されており、弾性支持体２０は、その弾性によってＬＣＤ１９を、周囲から中心方向へ付勢する。これにより、ＬＣＤ１９は、中立な位置（センター位置）に保持するよう弾性支持されている。弾性支持体２０は、外力によりＬＣＤ１９が側面方向（ＸＹ方向）へ変位した際に、変位したＬＣＤ１９をセンター位置へ戻すように作用する。
【００２１】
また、弾性支持体２０には、樹脂製の弾性部材からなる複数のパッド２３が一体形成されている。パッド２３は、弾性支持体２０の受け板２１に対向する面に配置されるとともに、枠の内側へ向けて突出しており、ＬＣＤ１９の側部の背面（表示面１９ａとは反対の面）を弾性支持する。パッド２３は、ＬＣＤ１９の表示面１９ａが外装体１１の背面とほぼ平行となるように弾性支持している。
【００２２】
また、弾性支持体２０の４つの角部には、ネジ孔２４が形成されている。弾性支持体２０は、ネジ孔２４と、受け板２１の対応する位置に形成されたネジ孔２５とをネジ２６で締結することにより、受け板２１に固定されている。
【００２３】
受け板２１は、ほぼ矩形平板状の板金からなり、４つの角部に前述のネジ孔２５が形成されている。弾性支持体２０が取り付けられる受け板２１の取り付け面２１ａには、ほぼ中心位置に柱状のボス（傾動支持部材）２７が配設されている。ボス２７は、金属等の剛性の高い材料からなり、ＬＣＤ１９の背面側のほぼ中心位置に当接する。これにより、ＬＣＤ１９は、ボス２７を支点として、パッド２３の弾性力に抗して傾動可能となっている。
【００２４】
また、取り付け面２１ａには、ボス２７の周囲に４箇所に第１スイッチ部材２８が配設されている。各第１スイッチ部材２８は、ボス２７とネジ孔２５との間のほぼ中間地点に配置されている。各第１スイッチ部材２８は、所定の荷重以上で押圧された際にオン状態となり、その他の場合にオフ状態となるタクトスイッチ（登録商標）である。各第１スイッチ部材２８は、ＬＣＤ１９に外力が作用せず、ＬＣＤ１９がパッド２３によって均一に保持されている場合には、オフ状態であり、ＬＣＤ１９の傾動により所定の荷重以上で押圧された際にオン状態となる。
【００２５】
また、受け板２１の４つの各側部には、弾性支持体２０を介してＬＣＤ１９の各側面１９ｂに対向するように、側壁２９が形成されている。側壁２９は、受け板２１を曲げ加工することにより一体形成されたものであり、弾性支持体２０に対向する内面２９ａには、第２スイッチ部材３０が配設されている。各第２スイッチ部材３０は、同様に、所定の荷重以上で押圧された際にオン状態となり、その他の場合にオフ状態となるタクトスイッチ（登録商標）である。各第２スイッチ部材３０は、ＬＣＤ１９に外力が作用せず、弾性支持体２０がＸＹ方向に関して中立な位置（センター位置）に保持されている場合には、オフ状態であり、ＬＣＤ１９のスライド移動により、弾性支持体２０を介して所定の荷重以上で押圧された際にオン状態となる。
【００２６】
なお、図示は省略するが、受け板２１は、外装体１１に固着されており、ＬＣＤ１９は、フレキシブル基板等によって、デジタルカメラ１０の内部に設けられた回路基板に電気的に接続されている。
【００２７】
デジタルカメラ１０の電気的構成を示す図５において、ＣＰＵ４０は、デジタルカメラ１０の動作を制御する制御手段として機能し、前述の電源ボタン１５、モード切替ダイヤル１６、レリーズボタン１７、第１スイッチ部材２８、第２スイッチ部材３０から入力される操作信号に基づいて、デジタルカメラ１０の各部を制御する。
【００２８】
レンズユニット４１には、前述の撮影レンズ１３の他、図示しないフォーカス機構及び絞り装置が組み込まれている。フォーカス機構は、撮影レンズ１３に組み込まれたフォーカスレンズを動かしてピント合せを行う。絞り装置は、図示しない絞りを調節することで、ＣＣＤ４２に入射する被写体光の光量を調節する。フォーカス機構及び絞り装置は、モータ駆動部４３を介してＣＰＵ４０によって動作制御される。
【００２９】
撮影レンズ１３の光軸後方には、多数のフォトダイオードが受光面に並べられてなるＣＣＤ４２が配置されている。ＣＣＤ４２は、撮影レンズ１３を介して入射された被写体光を受光し、撮像信号に変換して出力する。ＣＣＤ４２には、タイミングジェネレータ（ＴＧ）４４が接続されている。ＣＣＤ４２は、ＴＧ４４から入力される駆動パルスによって駆動され、撮像信号の出力を行う。ＴＧ４４は、ＣＣＤ４２の電荷蓄積時間（シャッタ速度）と電荷転送タイミングを制御する。
【００３０】
なお、図示は省略するが、ＣＣＤ４２は、複数の色セグメントからなるカラーフィルタ（例えば、ベイヤー配列の原色カラーフィルタ）を備えた単板カラー撮像方式のＣＣＤ型固体撮像素子であり、例えば、Ｒ（赤）、Ｇ（緑）、Ｂ（青）ごとのアナログ信号を出力する。
【００３１】
ＣＣＤ４２から出力された撮像信号は、アナログ信号処理回路（ＡＦＥ）４５に入力される。ＡＦＥ４５は、ＣＤＳ（Correlated Double Sampling）回路、ＡＧＣ（Automatic Gain Control）回路、Ａ／Ｄ変換器から構成され、ＴＧ４４から同期パルスが入力されることで、ＣＣＤ４２の電荷転送動作と同期して作動する。ＣＤＳ回路は、相関二重サンプリングを行って撮像信号からノイズを除去する。ＡＧＣ回路は、ＣＰＵ４０によって設定される撮影感度に応じたゲインで撮像信号を増幅する。Ａ／Ｄ変換器は、ＡＧＣ回路からのアナログの撮像信号を、例えば１２ビットのデジタル画像信号に変換する。
【００３２】
ＡＦＥ４５から出力された画像信号は、デジタル信号処理回路４６に入力される。デジタル信号処理回路４６は、入力された画像信号を、バスライン４７を介して接続された画像メモリ４８に一旦記録してから信号処理を行う。デジタル信号処理回路４６は、ＣＰＵ４０の制御に基づいて、画像メモリ４８に記録した画像信号を読み出し、読み出した画像信号に対して階調変換、ホワイトバランス補正、γ補正処理、ＹＣ変換処理などの各種画像処理を施すことで画像データを生成し、生成した画像データを画像メモリ４８に書き込む。
【００３３】
バスライン４７には、デジタル信号処理回路４６、画像メモリ４８の他に、圧縮伸張処理回路４９、メディアコントローラ５０、及びＬＣＤドライバ５１が接続されている。圧縮伸張処理回路４９は、画像メモリ４８から読み出された非圧縮の画像データに圧縮処理を行い、所定のファイル形式の圧縮画像データを生成する。また、圧縮伸張処理回路４９は、再生モード時にはメモリカード５２に記録された圧縮画像データに伸張処理を行い、非圧縮の画像データを生成する。メディアコントローラ５０は、メモリカード５２に対する画像データの記録及び読み出しを制御する。なお、圧縮伸張処理回路４９は、静止画撮影モードの際には、静止画像の画像データをＪＰＥＧ形式に圧縮し、動画撮影モードの際には、動画像の画像データをＭｏｔｉｏｎＪＰＥＧ形式に圧縮する。
【００３４】
ＬＣＤドライバ５１は、画像メモリ４８からの画像データに対し所定の信号処理を施して画像表示用の信号を生成し、これを一定のタイミングでＬＣＤ１９へ出力する。これにより、ＬＣＤ１９には、ＣＣＤ４２で撮像された画像がリアルタイムに表示（スルー画表示）される。また、ＬＣＤドライバ５１は、圧縮伸張処理回路４９で伸張された非圧縮画像データをＬＣＤ１９へ出力する。これにより、ＬＣＤ１９には、メモリカード５２から読み出された画像が再生表示される。さらに、ＬＣＤドライバ５１は、設定モード時には、ＣＰＵ４０の制御に基づき、ＬＣＤ１９にメニュー画面を表示させる。
【００３５】
次に、以上のように構成されたデジタルカメラ１０の作用について説明する。電源ボタン１５を操作してデジタルカメラ１０の電源をオンにすると、ＣＰＵ４０が各部の動作制御を開始する。静止画撮影を行うにはモード切替ダイヤル１６を静止画撮影モードに設定し、動画撮影を行うにはモード切替ダイヤル１６を動画撮影モードに設定する。また、各種設定を行うには、モード切替ダイヤル１６を設定モードに設定する。
【００３６】
設定モードに設定されると、ＬＣＤ１９にはメニュー画面が表示される。ユーザは、指でＬＣＤ１９を変位させることにより、メニュー項目の選択や、選択項目の決定、選択項目のキャンセルなどの設定操作を行うことができる。
【００３７】
図６に示すように、ＬＣＤ１９の表示面１９ａ上に指６０を当て、奥行き方向（矢印Ａ方向）に力を加えることで、ＬＣＤ１９がボス２７を支点として傾動し、その傾動方向に位置する第１スイッチ部材２８がＬＣＤ１９の背面１９ｃにより押圧される。この押圧力が所定の荷重以上となった場合に第１スイッチ部材２８がオン状態となる。そして、指６０による押圧力を解除すれば、パッド２３の付勢力により、ＬＣＤ１９は反対方向（矢印Ｂ方向）に移動し、第１スイッチ部材２８はオフ状態となる。
【００３８】
また、図７に示すように、ＬＣＤ１９の表示面１９ａ上に指６０を当て、側面方向（矢印Ｃ方向）に力を加えることで、ＬＣＤ１９がスライド移動し、その移動方向に位置する第２スイッチ部材３０が弾性支持体２０により押圧される。この押圧力が所定の荷重以上となった場合に第２スイッチ部材３０がオン状態となる。そして、指６０による押圧力を解除すれば、弾性支持体２０の付勢力により、ＬＣＤ１９は反対方向（矢印Ｄ方向）に移動し、第２スイッチ部材３０はオフ状態となる。
【００３９】
ＣＰＵ４０は、第１及び第２スイッチ部材２８，３０のオン／オフ状態に応じて入力される操作信号に基づき、各種設定変更（ストロボ発光のオン／オフ、セルフタイマのオン／オフ、マクロ撮影のオン／オフ、撮影感度や画質の変更など）を行う。
【００４０】
以上説明したように、画像表示装置１８は、ＬＣＤ１９を変位させることで操作入力がなされる操作機能を備える。この画像表示装置１８は、従来のようにタッチパネルを使用することなく、ＬＣＤ１９、弾性支持体２０、第１及び第２スイッチ部材２８，３０が配された受け板２１等により安価に製造することができる。また、第１及び第２スイッチ部材２８，３０をタクトスイッチ（登録商標）とすることで、操作時にクリック感を与えることができる。
【００４１】
また、この画像表示装置１８を備えたデジタルカメラ１０は、操作部材を削減することができ、これにより、操作部材を露呈させるための開口を外装体１１に形成する必要がなくなるため、製造コストを低減することができる。
【００４２】
なお、上記実施形態では、外装体１１は、押出し加工により形成した断面が環状の押出し体の背面に、ＬＣＤ１９を露呈させるための開口１１ｃを形成したものであるが、この外装体１１に代えて、図８に示すような断面がＣ型形状の外装体７０を用いることも好ましい。外装体７０を用いると、ＬＣＤ１９を露呈させるための開口を新たに形成する必要がなく、Ｃ型形状の切り欠き部分７１からＬＣＤ１９を露呈させれば良いため、製造コストの削減を図ることができる。
【００４３】
また、上記実施形態では、ＬＣＤ１９を弾性支持体２０で弾性支持し、ＬＣＤ１９の背面及び側面に対向するように第１及び第２スイッチ部材２８，３０を設け、ＬＣＤ１９を弾性支持体２０の弾性力に抗して変位させることで、第１及び第２スイッチ部材２８，３０をオン／オフさせているが、本発明はこれに限定されず、弾性支持体の構造やスイッチ部材の数や配置箇所は、本発明の趣旨を逸脱しない範囲で適宜変更可能である。
【００４４】
また、上記実施形態では、表示パネルとして液晶パネル（ＬＣＤ）を用いているが、本発明はこれに限定されず、有機ＥＬ（エレクトロルミネッセンス）ディスプレイ等の表示パネルを用いても良い。
【００４５】
また、上記実施形態では、デジタルカメラを例に挙げて説明したが、本発明はこれに限定されず、携帯電話機やＰＤＡ等の電子機器に適用することも可能である。
【図面の簡単な説明】
【００４６】
【図１】本発明のデジタルカメラの前面側斜視図である。
【図２】デジタルカメラの背面側斜視図である。
【図３】表示装置の正面図である。
【図４】表示装置の分解斜視図である。
【図５】デジタルカメラの電気的構成を示すブロックである。
【図６】操作によりＬＣＤを傾動させた様子を示す側面図である。
【図７】操作によりＬＣＤをスライド移動させた様子を示す正面図である。
【図８】外装体の変形例を示す斜視図である。
【符号の説明】
【００４７】
１０  デジタルカメラ
１１  外装体
１８  画像表示装置
１９  液晶パネル（表示パネル）
１９ａ  表示面
１９ｂ  側面
１９ｃ  背面
２０  弾性支持体
２１  受け板
２２  突起
２３  パッド
２７  ボス（傾動支持部材）
２８  第１スイッチ部材
３０  第２スイッチ部材
４０  ＣＰＵ（制御手段）
７０  外装体
【図１】
2009265312.tif 000003
【図２】
2009265312.tif 000004
【図３】
2009265312.tif 000005
【図４】
2009265312.tif 000006
【図５】
2009265312.tif 000007
【図６】
2009265312.tif 000008
【図７】
2009265312.tif 000009
【図８】
2009265312.tif 000010